(57)【要約】【課題】  普段のスケジュールを維持したまま所定の期間だけ別のスケジュールで制御することを可能にした投射型表示装置を提供すること。【解決手段】  画像表示装置であって、日時と関連付けられた第１の動作と、日時と関連付けられた第２の動作とを選択的に実行する制御手段と、日時に関する情報を取得する取得手段と、を備えており、前記制御手段は、前記取得手段で取得された日時に基づいて、前記第１の動作、前記第２の動作のいずれか１つを選択的に実行する、ことを特徴としている。【選択図】  図１
2018077285.tif 000002
【特許請求の範囲】
【請求項１】
画像表示装置であって、
日時と関連付けられた第１の動作と、日時と関連付けられた第２の動作とを選択的に実行する制御手段と、
日時に関する情報を取得する取得手段と、
を備えており、
前記制御手段は、前記取得手段で取得された日時に基づいて、前記第１の動作、前記第２の動作のいずれか１つを選択的に実行する、
ことを特徴とする画像表示装置。
【請求項２】
前記第１の動作に関連付けられた日時と、前記第２の動作に関連付けられた日時とは、互いに一部が重複している、
ことを特徴とする請求項１に記載の画像表示装置。
【請求項３】
前記第１の動作は、１日ごと、或いは１週間ごと、或いは１か月ごと、或いは１年ごとに繰り返される動作であり、
前記第２の動作は、特定の年月日或いは月日に行う動作である、
ことを特徴とする請求項１又は２に記載の画像表示装置。
【請求項４】
前記第１の動作に関連付けられた日時は、年月ではなく、少なくとも一部の曜日と、該少なくとも一部の曜日における時刻に関する日時であり、
前記第２の動作に関連付けられた日時は、少なくとも一部の月日と、該少なくとも一部の月日における時刻に関する日時である、
ことを特徴とする請求項１乃至３いずれか１項に記載の画像表示装置。
【請求項５】
前記第１の動作に関連付けられた日時は、年月日ではなく時刻であって、前記第１の動作は毎日繰り返される動作であり、
前記第２の動作に関連付けられた日時は、少なくとも一部の月日と、該少なくとも一部の月日における時刻に関する日時である、
ことを特徴とする請求項１乃至４いずれか１項に記載の画像表示装置。
【請求項６】
制御手段は、
前記取得手段で取得した日時が、前記第２の動作に関連付けられた日時である場合は、前記第２の動作を実行し、前記取得手段で取得した日時が、前記第２の動作に関連付けられた日時には該当せず、前記第１の動作に関連付けられた日時に該当する場合は、前記第１の動作を実行する、
ことを特徴とする請求項１乃至５いずれか１項に記載の画像表示装置。
【請求項７】
前記第１の動作及び前記第２の動作は、前記画像表示装置の起動から終了までを１回以上繰り返す動作である、
ことを特徴とする請求項１乃至６いずれか１項に記載の画像表示装置。
【請求項８】
前記制御手段は、前記第１の動作、第２の動作と、日時と関連付けられた第３の動作とを選択的に実行する、
ことを特徴とする請求項１乃至７いずれか１項に記載の画像表示装置。
【請求項９】
画像表示装置であって、
時刻情報と当該時刻に実行される動作情報を含むコマンドを少なくとも一つ含む第一の駆動プログラムと、前記駆動プログラムとは別の第二の駆動プログラムのいずれかのプログラムを用いて前記画像表示装置を制御する制御手段と、
日時情報を取得する情報取得手段と、
を備えており、
前記第二の駆動プログラムに属する１つ以上の第二の駆動プログラムは、日時情報と関連づけられており、
前記制御手段は、
前記情報取得手段が取得した日時情報が、前記第二の駆動プログラムに関連づけられた日時情報と合致する場合には、当該合致した第二の駆動プログラムを実行し、
前記日時情報が前記第二の駆動プログラムに関連づけられた日時情報と合致しない場合には、前記第一の駆動プログラムを実行する、
ことを特徴とする画像表示装置。
【請求項１０】
前記第二の駆動プログラムと関連付けられた日時情報を設定する設定手段を備え、
前記第二の駆動プログラムが複数ある場合、該複数の前記第二の駆動プログラムに対して互いに日時が重複する設定を禁止する、
ことを特徴とする請求項９に記載の画像表示装置。
【請求項１１】
前記第二の駆動プログラムに対して優先順位が設定されており、
前記第二の駆動プログラムが複数存在し、且つ該複数の第二の駆動プログラムが関連付けられた日時が同じ日時を含む場合、前記複数の第二の駆動プログラムのうち前記優先順位が高い第二の駆動プログラムを実行する、
ことを特徴とする請求項９又は１０に記載の画像表示装置。
【請求項１２】
前記取得手段は、入力されたイベント情報に基づいて、サーバーから当該イベント情報に対応する日時情報を取得するように構成されている、
ことを特徴とする請求項９乃至１１いずれか１項に記載の画像表示装置。
【請求項１３】
カレンダー上に、前記第一の駆動プログラム、前記第二の駆動プログラムのうち前記制御手段が実行する駆動プログラムを表示する表示手段を備える、
ことを特徴とする請求項９乃至１２いずれか１項に記載の画像表示装置。
【請求項１４】
日時情報と当該時刻に実行される動作情報を含むコマンドを少なくとも一つ含む第一の駆動プログラムに従って動作するプログラム実行手段と、
前記コマンドに含まれる動作情報に必要なエージング時間を取得するエージング時間取得手段と、
日時情報を取得する取得手段と、
当該取得手段が取得した日時情報と、前記コマンドに含まれる日時情報とが合致した場合、当該コマンドに含まれる動作情報に対応する処理を実行するコマンド実行手段と、
を備える画像表示装置であって、
前記コマンド実行手段は、当該コマンドに必要なエージング時間を前記エージング時間取得手段から取得し、
投写開始からの経過時間が取得したエージング時間に満たない場合、当該コマンドの実行時刻を少なくともエージング時間と投写開始からの経過時間の差分だけ遅らせ、前記駆動プログラムに、電源オフコマンドが含まれ、かつ、他のコマンドに含まれる時刻情報が前記電源オフコマンドに含まれる時刻情報よりも後の時刻である場合、当該コマンドを電源オフコマンドより先に実行する、
ことを特徴とする画像表示装置。
【発明の詳細な説明】
【技術分野】
【０００１】
本発明は、投射型表示装置に関し、特に日時情報に基づいて制御される画像表示装置に関するものである。
【背景技術】
【０００２】
従来から予め登録されたスケジュールおよび、時刻情報（日時）によって機器を制御する方法が知られている。
【０００３】
例えば、特許文献１では筐体の傾きに応じて使用状態を検出し、使用状態および時刻に対応するアプリケーションプログラムを起動する携帯情報端末が開示されている。特許文献２では各曜日の電源オフ時刻を記憶し、その時刻に基づいて各曜日の電源オフ制御を行う映像表示装置が開示されている。
【先行技術文献】
【特許文献】
【０００４】
【特許文献１】特開２０１１−２２８８４４号公報
【特許文献２】特開２０１３−０３１０１６号公報
【発明の概要】
【発明が解決しようとする課題】
【０００５】
しかしながら、上述の特許文献に開示された従来技術では、所定の期間のみ動作を変えたい場合に、当該所定期間に先立ってスケジュールを組み直す必要がある。例えば、投射型表示装置が常設されている環境で、プロジェクションマッピングのイベントを行う場合を想定する。この場合、イベント期間だけは普段のスケジュールとは異なるスケジュールを組んでおき、イベントが終了した後に改めて普段のスケジュールを組み直す必要があった。
【０００６】
また、夏休み等、特定の期間の間スケジュール動作を止めたい場合は、それに先立ってスケジュールを無効化し（或いは何もしないスケジュールを組み）、期間終了後にスケジュールを再度有効化する必要があった。
【０００７】
本発明の目的は、普段のスケジュールを維持したまま所定の期間を別のスケジュールで制御することを可能にした投射型表示装置を提供することである。
【課題を解決するための手段】
【０００８】
上記目的を達成するために、本発明の画像表示装置は、画像表示装置であって、日時と関連付けられた第１の動作と、日時と関連付けられた第２の動作とを選択的に実行する制御手段と、日時に関する情報を取得する取得手段と、を備えており、前記制御手段は、前記取得手段で取得された日時に基づいて、前記第１の動作、前記第２の動作のいずれか１つを選択的に実行する、ことを特徴としている。
【発明の効果】
【０００９】
本発明によれば、普段の動作（動作スケジュール）を維持したままで、所定の期間（日時）だけ別の動作（動作スケジュール）で動作することが可能な画像表示装置を提供することができる。
【図面の簡単な説明】
【００１０】
【図１】本発明の実施の１形態にかかわる投射型表示装置の構成
【図２】本発明の実施の１形態にかかわるプログラムの構成
【図３】本発明の実施の１形態にかかわる期間駆動プログラムの期間設定画面
【図４】本発明の実施の１形態にかかわる投射型表示装置の構成
【図５】本発明の実施の１形態にかかわる投射型表示装置の構成
【図６】本発明の実施の１形態にかかわる期間駆動プログラムのイベント情報選択画面
【図７】本発明の実施の１形態にかかわる駆動プログラム有効期間表示画面
【図８】本発明の実施の１形態にかかわるプログラムの構成
【図９】本発明の実施の１形態にかかわるエージングが必要なコマンドの実行タイミング変更を表す図
【発明を実施するための形態】
【００１１】
以下に、本発明の好ましい実施の形態を、添付の図面に基づいて詳細に説明する。図１は、本発明の実施形態にかかわる投射型表示装置（画像表示装置）の構成である。
【００１２】
本実施例の画像表示装置は、日時と関連付けられた第１の動作と、日時と関連付けられた第２の動作とを選択的に実行する制御手段と、日時に関する情報を取得する取得手段と、を備えている。ここで、制御手段は、図１に示す符号１０２であるが、駆動プログラム管理部１１０や、各種駆動プログラム１１１、１１２、１１３や、電源制御部１０３、光源１０４、パネル（画像表示素子）１０６等を制御するコントローラを兼ねていても良い。ここで、この制御手段は、取得手段で取得された日時に基づいて、第１の動作、第２の動作のいずれか１つを選択的に実行することができる。
【００１３】
ここで、第１の動作は、１日ごと、或いは１週間ごと、或いは１か月ごと、或いは１年ごとに繰り返される動作、つまり一定の周期で繰り返される動作である。一方、第２の動作は、非周期的な動作、繰り返しの無い動作、つまり特定の年月日或いは月日に行う動作、或いは第１の動作に比べて短い期間内において繰り返される動作（繰り返し周期は第１の動作と同じでも構わない）である。もしくは、第１の動作に関連付けられた日時は、年月ではなく、少なくとも一部の曜日と、この少なくとも一部の曜日における時刻に関する日時である。また、第２の動作に関連付けられた日時は、少なくとも一部の月日と、この少なくとも一部の月日における時刻に関する日時である、としても良い。また、第１の動作に関連付けられた日時は、年月日ではなく時刻であって、この第１の動作は毎日繰り返される動作である。そして、第２の動作に関連付けられた日時は、少なくとも一部の月日と、この少なくとも一部の月日における時刻に関する日時である、としても良い。
【００１４】
上述の第１の動作及び第２の動作は、画像表示装置の起動から終了までを１回以上繰り返す動作であることが望ましい。つまり、各動作の初めは装置の起動シーケンスであり最後は装置の終了シーケンスであることが望ましいが、場合によっては（終了は人が行う方が望ましい場合）終了シーケンスは含まなくても構わない。各動作がどのような動作を含むか、については、ユーザーが設定する事項である。つまり、第１、２の動作とは、駆動スケジュールに基づく動作、或いは駆動スケジュール（ある日時にある動作を行う）そのものである。本実施例では、第１の動作（第１の駆動プログラム、第１の駆動スケジュールに基づく動作）と、第２の動作（第２の駆動プログラム、第２の駆動スケジュールに基づく動作）とを選択的に行うことが可能な画像表示装置を提供する。ここでは、第１の動作は、日常的な通常スケジュールの下で行われる動作であり、これは１日ごと、１週間ごと、１か月ごと、１年ごとに同じことを繰り返す場合の動作（動作スケジュール、駆動スケジュール）である。また、第２の動作は、日時情報取得手段が得た日時が第２の動作と関連付けられた特定の日時と合致（一致）する場合にのみ実行される動作であって、日常とは異なるイベントが発生した際に実行される動作である。
【００１５】
この第１の動作に関連付けられた日時と、第２の動作に関連付けられた日時とは、互いに一部が重複していても良いし、お互いに異なっていても良い。但し、第２の動作に関連付けられた日時については、設定手段で設定する（入力する）際に、他の第２の動作で設定済の日時については設定を禁止するようにしても良い。
【００１６】
本実施例の制御手段は、取得手段で取得した日時が、第２の動作に関連付けられた日時である場合は、第２の動作を実行し、第２の動作に関連付けられた日時には該当せず、第１の動作に関連付けられた日時に該当する場合は、第１の動作を実行する。また、第２の動作（第２の駆動プログラム、第２のスケジュール）が複数存在する場合（第３の動作が存在する場合）は、その第２の動作に対して関連付けられている優先順位に従って実行する動作を決定する。
【実施例１】
【００１７】
以下、図１を参照して、本発明の第１の実施例による、投射型表示装置（画像表示装置、プロジェクタ）について説明する。
【００１８】
１０１は本発明の第一の実施例に関わる投射型表示装置（画像表示装置）である。１０２は制御部であり、後述する種々の機能ブロックを制御する。１０３は電源制御部であり、光源１０４への電力供給を制御する。１０４は光源であり、電源制御部からの電力供給を受けて発光する。１０５は色分離光学系であり、光源から出射された光を所定の色成分毎に分離する。一般的にはＲ，Ｇ，Ｂの三原色に分離する。１０６はパネル（画像表示素子）であり、色分離光学系１０５から出力された色成分毎の光を所望の画像を構成するように変調する（偏光方向を制御する、或いは光の射出方向を制御する）。なお、色成分毎に別々の変調を行うためパネルは複数存在する。１０７は色合成光学系でありパネルで変調された色成分毎の光を合成する。この色合成光学系１０７と、前述の色分離光学系１０５は、両者の一部（或いは全部）が共通部光学系であっても構わない。色合成光学系で合成された光は投写光学系１０８を介して投射型表示装置１０１の外部に出力され、図示しない外部のスクリーン等に投写画像を投射（結像）する。１０９は日時取得部であり、日時情報（現在の日時情報）を取得する。日時情報の構成例としては年、月、日、時、分、秒を表す数値を含む情報（データ）や、その一部のみ（例えば時、分のみ）で構成される情報等である。１１０は駆動プログラム管理部であり、駆動プログラム・期間情報の設定および実行対象となる駆動プログラムの選定を行う。
【００１９】
１１１は期間情報と結びつかない駆動プログラムである。１１２、１１３はそれぞれ期間情報１１４、１１５と結びつく駆動プログラムである。この実施例１での期間情報１１４、１１５としては、それぞれ開始年月日、終了年月日が設定される。
【００２０】
ここで、具体的な例を挙げて、駆動プログラム選択の流れを説明する。
【００２１】
期間情報１１４には、開始日２０２０年４月１日、終了日２０２０年４月３０日、期間情報１１５には、開始日２０２０年７月２０日、終了日２０２０年８月３１日が設定されているものとする。
【００２２】
制御部１０２は日時取得部から定期的に日時情報を取得する。取得した日時情報が日付をまたいだ時点で、取得した日付に該当する駆動プログラムを、駆動プログラム管理部１１０を介して取得する。駆動プログラム管理部１１０は期間情報１１４、１１５に当該日付が含まれるか否かを判断し、含まれる場合は当該期間情報に結びついた期間駆動プログラムを取得する。いずれの期間情報にも当該日付が含まれない場合、駆動プログラム１１１（通常駆動プログラム）を取得する。
【００２３】
例えば、取得した日時情報における日付が２０２０年８月１日であった場合、当該日付は期間情報１１５に含まれるため、駆動プログラム管理部は期間駆動プログラム１１３を取得する。取得した日時情報における日付が２０２０年６月１日であった場合、当該日付は期間情報１１４、１１５のいずれにも含まれないため、駆動プログラム管理部は通常駆動プログラム１１１を取得する。
【００２４】
制御部１０２は駆動プログラム管理部１１０を介して取得した駆動プログラムに従って、投射型表示装置１０１の制御を行う。さらに、日時取得部から日時情報を継続して取得し、日付をまたいだ時点で再び駆動プログラム取得処理を行う。
【００２５】
ここで、図２を参照して、駆動プログラムの構成の例を説明する。
【００２６】
駆動プログラムは「時刻」と当該時刻に実行される動作情報（図２では「コマンド」と表現）の組み合わせからなる。
【００２７】
図２に示す例では、８：００にＰＯＷＥＲ＝ＯＮコマンドにより投射型表示装置の電源を入にし、同時にＩＮＰＵＴ＝１コマンドにより投射型表示装置の入力信号選択を１にする。ここで入力信号選択の１というのは便宜上の数値であって、実際には投射型表示装置に備えられた入力信号端子の何れか［ＨＤＭＩ（登録商標）やＶＧＡ等］が選択されることになる。１０：００にＩＮＰＵＴ＝２コマンドにより投射型表示装置の入力信号選択が２となり、１２：００にＰＯＷＥＲ＝ＯＦＦコマンドにより投射型表示装置の電源が切となる。１３：００にＰＯＷＥＲ＝ＯＦＦコマンドにより投射型表示装置の電源が入となり、同時にＩＮＰＵＴ＝３コマンドにより投射型表示装置の入力信号選択が３となる。１７：００にＰＯＷＥＲ＝ＯＦＦコマンドにより投射型表示装置の電源が切となる。
【００２８】
駆動プログラムに関し、一つのプログラムを毎曜日実行する構成としても良いし、曜日毎に別々の駆動プログラムを実行する構成としても良い。期間駆動プログラムに対して、曜日毎に別々の駆動プログラムを実行する構成とした場合は期間情報の開始日から終了日の間は曜日に応じた駆動プログラムが実行されることになる。
【００２９】
ここで、通常駆動プログラム１１１は期間情報と結びつかないと説明したが、勿論期間情報と結びついていても構わない。
【実施例２】
【００３０】
以下、図３を参照して、本発明の第２の実施例による、投射型表示装置の動作について説明する。
【００３１】
本実施例では、期間駆動プログラムが二つ以上ある場合に、複数の期間駆動プログラムの間でそれぞれの期間情報が重なり合う設定を抑制する構成を説明する。
【００３２】
本発明における投射型表示装置において、期間駆動プログラムに結びつく期間情報（日時情報）を設定する際には、例えば、リモコン等の操作デバイスからの操作により行う。リモコンを使ってオンスクリーンメニューに期間情報設定ダイアログを表示させ、オンスクリーンメニュー上の項目をリモコンを用いて操作することで日時情報の設定を行うことができる。
【００３３】
３０１は期間駆動プログラムに結びつく期間情報の設定画面の一例である。３０２は開始日入力部を表し、３０３は終了日入力部を表す。
【００３４】
開始日・終了日の入力は項目上にカーソル３０４を当て、上下キーによって値を増減させることで行う。あるいは、カーソル３０４が当たっている状態で、数字キーによって値を直接入力する。
【００３５】
開始日・終了日のうちいずれかの値が変更されると、制御部は開始日・終了日の情報を駆動プログラム管理部へ渡し、駆動プログラム管理部は編集中の駆動プログラム以外の駆動プログラムの期間情報と重なるか否かを判別する。
【００３６】
駆動プログラム管理部が、編集中の駆動プログラム以外の駆動プログラムに関連付けられた期間情報と重なる（日時情報と重複する）と判断した場合には、制御部は、その旨を御スクリーンメニュー３０１上に表示する。具体的には、期間情報（日時情報）重複の旨のメッセージ３０５をオンスクリーンメニュー３０１上に表示し、期間情報の設定を実行しない（日時が重複した状態での日時情報の設定を禁止する）。
【００３７】
このような構成とすることで、複数の期間駆動プログラムがある場合でも互いに期間情報が重ならないため、駆動プログラム管理部は所定の日付に対する実行対象プログラムを一意に特定することが可能となる。
【実施例３】
【００３８】
以下、図４を参照して、本発明の第３の実施例による、投射型表示装置の動作について説明する。
【００３９】
１１４、１１５はそれぞれ期間駆動プログラム１１２、１１３に関連づいた期間情報であり、本実施例においては互いに重なる期間を設定可能とする。例えば、期間情報１１４の開始日に２０２０年５月１日、終了日に２０２０年６月３０日を設定し、期間情報１１５の開始日に２０２０年６月１日、終了日に２０２０年７月３１日を設定することを可能とする。このような設定をすると、２０２０年６月１日から２０２０年６月３０日までは互いに期間が重なることとなる。この重なった期間においては、駆動プログラム管理部１１０は期間情報だけでは期間駆動プログラム１１２と１１３のどちらを実行対象とするかを判断することができない。
【００４０】
そこで、本実施例では、それぞれの期間駆動プログラムに対し、互いに重ならない優先順位情報を関連付ける。
【００４１】
優先順位情報は例えば数値で保持される形式が考えられる。優先順位情報４０１に’１’が設定され、優先順位情報４０２に’２’が設定されているとし、数値が大きいほど優先順位が高いと設定しているものとする。この場合、期間情報１１４と１１５が互いに重なった期間においては、期間駆動プログラム１１３が実行されることとなる。
【実施例４】
【００４２】
以下、図５を参照して、本発明の第４の実施例による、投射型表示装置の動作について説明する。
【００４３】
本実施例においては、期間駆動プログラム１１２、１１３はそれぞれイベント識別情報５０１、５０２と関連付けされる。イベント識別情報とは例えばイベントを表す文字列であり、”ＳＵＭＭＥＲ＿ＶＡＣＡＴＩＯＮ”，“ＳＣＨＯＯＬ＿ＦＥＳＴＩＶＡＬ”等が設定される。これらの文字列はユーザーが任意に設定できる形式とすることも可能である。但し、イベント情報サーバー５０４から通信部５０３を介してイベント情報サーバー５０４で既に設定されているイベント識別情報を取得して、その中からユーザーが選択する形式とすることも可能である。
【００４４】
図６は期間駆動プログラムに関連付けるイベント識別情報を選択する際のオンスクリーンメニュー６０１の一例を示している。６０２はイベント識別情報選択部であり、制御部１０２が通信部５０３を介してイベント情報サーバー５０４から取得した複数のイベント識別情報文字列から、ユーザー操作により任意のイベント識別情報文字列を選択する。
【００４５】
イベント識別情報文字列がユーザー操作により変更されると、変更された後のイベント識別情報文字列に関連づいた開始日、終了日の情報をイベント情報サーバーより取得し開始日表示部６０３、終了日表示部６０４に表示する。
【００４６】
ここで、具体的な例を挙げて、駆動プログラム選択の流れを説明する。
【００４７】
イベント識別情報５０１には、”ＳＵＭＭＥＲ＿ＶＡＣＡＴＩＯＮ”，イベント情報５０２には”ＳＣＨＯＯＬ＿ＦＥＳＴＩＶＡＬ”が設定されているものとする。
【００４８】
制御部１０２は日時取得部から定期的に日時情報を取得する。取得した日時情報が日付をまたいだ時点で、取得した日付に該当する駆動プログラムを駆動プログラム管理部１１０を介して取得する。駆動プログラム管理部１１０はイベント識別情報“ＳＵＭＭＥＲ＿ＶＡＣＡＴＩＯＮ”，“ＳＣＨＯＯＬ＿ＦＥＳＴＩＶＡＬ”に対応する期間情報を制御部１０２に要求する。
【００４９】
制御部１０２は通信部５０３を介して、イベント情報サーバー５０４からイベント識別情報“ＳＵＭＭＥＲ＿ＶＡＣＡＴＩＯＮ”，“ＳＣＨＯＯＬ＿ＦＥＳＴＩＶＡＬ”に対応する期間情報をそれぞれ駆動プログラム管理部へ通知する。
【００５０】
駆動プログラム管理部１１０はイベント識別情報５０１，５０２に対応して通知された期間情報の何れかに日付取得部１０９から取得した日付が含まれるか否かを判断し、含まれる場合は対応する期間駆動プログラムを取得する。いずれの期間情報にも当該日付が含まれない場合、駆動プログラム１１１（通常駆動プログラム）を取得する。
【００５１】
制御部１０２は駆動プログラム管理部１１０を介して取得した駆動プログラムに従って、投射型表示装置１０１の制御を行う。さらに、日時取得部から日時情報を継続して取得し、日付をまたいだ時点で再び駆動プログラム取得処理を行う。
【００５２】
尚、イベント識別情報として、文字列による実現の例を挙げたが、別の実現方法も考えられ、イベントを識別するＩＤ番号をイベント識別情報として扱うことも可能である。
【実施例５】
【００５３】
以下、図７を参照して、本発明の第５の実施例による、投射型表示装置の動作について説明する。この本発明の第５の実施例による、投射型表示装置では、カレンダー表示手段を備える。
【００５４】
７０１はカレンダー表示手段としての、オンスクリーンメニューの構成例を示している。カレンダー表示オンスクリーンメニュー７０１において、横軸は月を左から右に時系列に並べたものである。通常駆動プログラムおよびそれぞれの期間駆動プログラムの有効期間（駆動プログラム取得部により、駆動対象として選択される期間）を帯状に表示する。
【００５５】
例えば、開始日が２０２０年６月１０日、終了日が２０２０年９月１０日の期間駆動プログラムと、開始日が２０２０年３月１日、終了日が２０２０年４月３０日の期間駆動プログラムが設定されているとする。カレンダー表示オンスクリーンメニュー７０１では、それぞれの期間駆動プログラムの有効期間が識別できるように帯の表示方法（帯の太さ、色等）を変更して表示する。このようにカレンダー上に、プログラム実行手段（制御手段）によって実行される駆動プログラム（動作）を表示することにより、使用者の使い勝手の向上を図っている。
【００５６】
また、期間駆動プログラムの有効期間の間は通常駆動プログラムは実行されないこととなるので、通常駆動プログラムの帯を「無効」に対応する表示方法で表示する。
【００５７】
このようにすることで、ユーザーは所定の期間において駆動プログラム取得部によりどのプログラムが実行対象として取得されるのかを識別可能となる。
【実施例６】
【００５８】
図８、９を参照して、本発明の第５の実施例による、投射型表示装置の動作について説明する。
【００５９】
図８は本実施例における駆動プログラムの一例である。１２：００に電源オンコマンドを実行し、１７：００に電源オフコマンドを実行する。１８：００にキャリブレーションの実行が予定されている。ここで、キャリブレーションとは例えば、光源の発光状態を輝度センサーによって判別し、所望の輝度が得られていないと判別した場合は、電源制御部１０３に供給する電力を増すことにより所望の輝度を得る処理である。電源制御部から光源への供給電力が同じであっても、光源の温度状態が異なると光源から出力される輝度は変化する。
【００６０】
従って、キャリブレーションを実行するには光源の温度変化が安定している状態で行う必要があり、光源を点灯した状態で所定時間経過していることが望まれる。光源を点灯した状態で所定時間経過させることをエージングと呼ぶ。
【００６１】
エージング時間を加味して、所定時間以上光源を点灯した後に、キャリブレーションコマンドを実行するようなプログラムをユーザーが組んだ場合は問題ないが、そうでない場合は正しくキャリブレーションを実行することができない。
【００６２】
例えば、図８に示したような駆動プログラムをそのまま実行する場合、キャリブレーションの実行時には１７：００に登録されている電源オフコマンドにより既にスタンバイ状態となっており、キャリブレーションを実行することができない。
【００６３】
そこで、本実施例における投射型表示装置では、電源オフコマンド実行に先立ち、その後に予定されているコマンドがキャリブレーションを必要とする場合、そのコマンド実行を電源オフコマンドより前に行う。
【００６４】
別の条件では、電源オンコマンドの直後にキャリブレーションコマンドが登録されている場合もある。例えば、１２：００に電源オンコマンド、１２：０５にキャリブレーションコマンドが登録されているような場合である。キャリブレーションに必要なエージング時間が３０分であるとすると、１２：０５（コマンドに含まれる時刻情報）にキャリブレーションを実行するのでは必要なエージング時間を確保できない。
【００６５】
そこで、本実施例における投射型表示装置では、キャリブレーションの実行に先立ち、投写開始からの時間がエージング時間（エージング時間取得手段が取得したエージング時間）を超えているか否かを判定する。その判定の結果、所定のエージング時間を超えていない場合、少なくともエージング時間と投写開始からの時間（経過時間）の差分値だけ、キャリブレーションの実行時刻を遅らせる。
【００６６】
このようにすることで、必要なエージング時間を確保でき、キャリブレーション処理を適切に実行することができる。
【００６７】
以上、本発明の好ましい実施形態について説明したが、本発明はこれらの実施形態に限定されず、その要旨の範囲内で種々の変形及び変更が可能である。
【産業上の利用可能性】
【００６８】
本発明の画像表示装置は、プロジェクター（表示デバイスは液晶であってもミラーデバイスであってもその他どのようなデバイスであっても良い）や、プロジェクターを用いたシステムにも適用可能である。
【符号の説明】
【００６９】
１０１  投射型表示装置
１０２  制御部
１０３  電源制御部
１０４  光源
１０５  色分離光学系
１０６  パネル
１０７  色合成光学系
１０８  投写光学系
１０９  日時取得部
１１０  駆動プログラム管理部
１１１  通常駆動プログラム
１１２，１１３  期間駆動プログラム
１１４，１１５  期間情報
【図１】
2018077285.tif 000003
【図２】
2018077285.tif 000004
【図３】
2018077285.tif 000005
【図４】
2018077285.tif 000006
【図５】
2018077285.tif 000007
【図６】
2018077285.tif 000008
【図７】
2018077285.tif 000009
【図８】
2018077285.tif 000010
【図９】
2018077285.tif 000011